(57)【要約】 【課題】自動補正モードを任意に選択可能としても、計時日時の不正確さを起因として番組予約実行時に生じる悪影響を防止できるようにする。 【解決手段】ＣＰＵ１は、ＴＶ放送受信部１３を定期的にオンさせることによってＴＶ放送信号から高精度日時を取得し、この高精度日時に基づいてＲＴＣ１５の計時日時を自動修正する“自動補正モード”の解除が指示された場合に、スケジュール表ＳＤを参照し、ＴＶ種のスケジュール情報が設定されていれば、その旨を警告表示する。 【選択図】  図１
2008118244.tif 000002
【特許請求の範囲】
【請求項１】
放送電波を受信する放送受信機能と予め設定されたスケジュール情報を記憶管理するスケジュール管理機能を備え、放送番組の予約に関する情報を前記スケジュール情報として設定する携帯端末装置であって、
内部で計時された内部計時日時を外部から取得した外部取得日時に基づいて高精度日時に修正する自動補正モードを任意に選択する選択手段と、
前記自動補正モードの解除が指示される場合に、放送番組の予約に関するスケジュール情報の設定有無を判別する判別手段と、
この判別手段によって該当するスケジュール情報が設定されていることが判別された場合に、その旨を警告する警告手段と、
を具備したことを特徴とする携帯端末装置。
【請求項２】
前記選択手段は、内部で計時された内部計時日時を外部から取得した外部取得日時に基づいて高精度日時に修正する自動補正モードと内部計時日時を任意に修正する手動補正モードとを任意に選択し、
前記自動補正モードが解除されて手動補正モードが選択された状態において、内部計時日時が任意に修正された際に、前記警告手段は、番組予約に関するスケジュール情報が設定されていれば、その旨を警告する、
ようにしたことを特徴とする請求項1記載の携帯端末装置。
【請求項３】
前記内部計時日時を任意に修正する手動補正モード下において内部計時日時が任意に修正された際に、その修正前の内部計時日時と修正後の内部計時日時との時間差を算出する算出手段を設け、
この算出手段によって算出された時間差が所定時間以上であることを条件に、前記警告手段は、放送番組の予約に関するスケジュール情報が設定されていることを警告する、
ようにしたことを特徴とする請求項１記載の携帯端末装置。
【請求項４】
前記内部計時日時を任意に修正する手動補正モード下において内部計時日時が任意に修正された際に、前記警告手段は、修正前後の内部計時日時を比較した結果、修正後の日時が修正前の日時よりも早い場合には、第１の警告を行い、修正後の日時が修正前の日時よりも遅い場合には第２の警告を行う、
ようにしたことを特徴とする請求項１記載の携帯端末装置。
【請求項５】
前記自動補正モードの解除が指示された際に、前記判別手段による判別の結果、番組予約に関するスケジュール情報が設定されていれば、自動補正モードの解除指示を無効とする、
ようにしたことを特徴とする請求項1記載の携帯端末装置。
【請求項６】
放送電波を受信する放送受信機能と予め設定されたスケジュール情報を記憶管理するスケジュール管理機能を備え、放送番組の予約に関する情報を前記スケジュール情報として設定する携帯端末装置であって、
内部で計時された内部計時日時を外部から取得した外部取得日時に基づいて高精度日時に修正する自動補正モードを任意に選択する選択手段と、
放送番組の予約に関する情報を前記スケジュール情報として設定する際に、前記自動補正モードが選択されているかを判別する判別手段と、
この判別手段によって自動補正モードが選択されていないことが判別された場合に、当該番組予約に関するスケジュール情報の設定指示を無効とする制御手段と、
を具備したことを特徴とする携帯端末装置。
【請求項７】
前記番組予約のスケジュール情報の設定指示を無効とするに先立って、自動補正モードに変更するか否かの確認報知を行い、それに応答して自動補正モードへの変更が指示されたことを条件に、当該番組予約のスケジュール情報の設定を行う、
ようにしたことを特徴とする請求項５記載の携帯端末装置。
【請求項８】
コンピュータに対して、
内部で計時された内部計時日時を外部から取得した外部取得日時に基づいて高精度日時に修正する自動補正モードを任意に選択する機能と、
前記自動補正モードの解除が指示される場合に、放送番組の予約に関するスケジュール情報の設定有無を判別する機能と、
該当するスケジュール情報が設定されていることが判別された場合に、その旨を警告する機能と、
を実現させるためのプログラム。
【請求項９】
コンピュータに対して、
内部で計時された内部計時日時を外部から取得した外部取得日時に基づいて高精度日時に修正する自動補正モードを任意に選択する機能と、
放送番組の予約に関する情報を前記スケジュール情報として設定する際に、前記自動補正モードが選択されているかを判別する機能と、
自動補正モードが選択されていないことが判別された場合に、当該番組予約に関するスケジュール情報の設定指示を無効とする機能と、
を実現させるためのプログラム。
【発明の詳細な説明】
【技術分野】
【０００１】
この発明は、放送電波を受信する放送受信機能と予め設定されたスケジュール情報を記憶管理するスケジュール管理機能を備え、放送番組の予約に関する情報をスケジュール情報として設定する携帯端末装置及びプログラムに関する。
【背景技術】
【０００２】
近年、デジタルテレビ放送受信チューナ付き携帯電話装置が普及してきており、携帯画面でテレビ視聴することができるほか、テレビ放送を録画する機能もあり、録画内容を再生視聴することができるようになっている（特許文献１参照）。
【０００３】
このような携帯電話装置では、テレビ番組の録画を予約する録画予約機能を備えたものも製品化され始めている。この録画予約機能では、テレビ番組の予約情報をスケジュール情報として設定するようにしている。すなわち、携帯電話装置には、予め設定されたスケジュール情報に基づいてその予約日時に達したかを検出するスケジュール管理機能が備えられているが、このスケジュール管理機能を利用して、テレビ番組の予約情報を管理するようにしている。この場合、内蔵時計の計時日時と予約日時とを比較することによって予約日時に達したか否かを検出するようにしているが、内蔵時計は、常に正確であるとは限らず、内蔵時計が不正確であると、テレビ録画の開始に影響し、録画が早過ぎるときには、電力、メモリを無駄に使ってしまい、逆に、録画が遅過ぎるときには、録画漏れが生じてしまう。
【０００４】
そこで、従来では、テレビ放送に含まれている日時情報に基づいて内蔵時計を高精度日時に自動修正する技術が知られている（特許文献２参照）。この場合、自動修正を有効とするか否かをユーザ操作によって任意に選択できるようにしている。
【特許文献１】特開２００２−２４７４９０号公報
【特許文献２】特開２００１−９１６８０号公報
【発明の開示】
【発明が解決しようとする課題】
【０００５】
上述した特許文献２の技術のように、自動修正を有効とするか否かを任意に選択可能としたのは、正確な日時を敢えて嫌う人に対する配慮でもあり、例えば、５分早めに出掛ける、起きるなど、正確な日時に対して少し早目の日時をわざと設定して利用する人も多く、そのような人達の要望に応えるためであるが、内蔵時計が不正確であっても、目覚まし用などに利用する限りでは問題はないが、テレビ放送の録画予約の場合には、録画が早過ぎたり、遅過ぎたりすることによる弊害を生じるほか、電力、メモリを無駄に消費してしまうという弊害も生じる。
【０００６】
この発明の課題は、自動補正モードを任意に選択可能としても、計時日時の不正確さを起因として番組予約実行時に生じる悪影響を防止できるようにすることである。
【課題を解決するための手段】
【０００７】
請求項１記載の発明（第１の発明）は、放送電波を受信する放送受信機能と予め設定されたスケジュール情報を記憶管理するスケジュール管理機能を備え、放送番組の予約に関する情報を前記スケジュール情報として設定する携帯端末装置であって、内部で計時された内部計時日時を外部から取得した外部取得日時に基づいて高精度日時に修正する自動補正モードを任意に選択する選択手段と、前記自動補正モードの解除が指示される場合に、放送番組の予約に関するスケジュール情報の設定有無を判別する判別手段と、この判別手段によって該当するスケジュール情報が設定されていることが判別された場合に、その旨を警告する警告手段とを具備したことを特徴とする。
更に、コンピュータに対して、上述した請求項１記載の発明に示した主要機能を実現させるためのプログラムを提供する（請求項８記載の発明）。
【０００８】
なお、上述した請求項１記載の発明は、次のようなものであってもよい。
前記選択手段は、内部で計時された内部計時日時を外部から取得した外部取得日時に基づいて高精度日時に修正する自動補正モードと内部計時日時を任意に修正する手動補正モードとを任意に選択し、前記自動補正モードが解除されて手動補正モードが選択された状態において、内部計時日時が任意に修正された際に、前記警告手段は、番組予約に関するスケジュール情報が設定されていれば、その旨を警告する（請求項２記載の発明）。
【０００９】
前記内部計時日時を任意に修正する手動補正モード下において内部計時日時が任意に修正された際に、その修正前の内部計時日時と修正後の内部計時日時との時間差を算出する算出手段を設け、この算出手段によって算出された時間差が所定時間以上であることを条件に、前記警告手段は、放送番組の予約に関するスケジュール情報が設定されていることを警告する（請求項３記載の発明）。
【００１０】
前記内部計時日時を任意に修正する手動補正モード下において内部計時日時が任意に修正された際に、前記警告手段は、修正前後の内部計時日時を比較した結果、修正後の日時が修正前の日時よりも早い場合には、第１の警告を行い、修正後の日時が修正前の日時よりも遅い場合には第２の警告を行う（請求項４記載の発明）。
【００１１】
前記自動補正モードの解除が指示された際に、前記判別手段による判別の結果、番組予約に関するスケジュール情報が設定されていれば、自動補正モードの解除指示を無効とする（請求項５記載の発明）。
【００１２】
請求項６記載の発明（第２の発明）は、放送電波を受信する放送受信機能と予め設定されたスケジュール情報を記憶管理するスケジュール管理機能を備え、放送番組の予約に関する情報を前記スケジュール情報として設定する携帯端末装置であって、内部で計時された内部計時日時を外部から取得した外部取得日時に基づいて高精度日時に修正する自動補正モードを任意に選択する選択手段と、放送番組の予約に関する情報を前記スケジュール情報として設定する際に、前記自動補正モードが選択されているかを判別する判別手段と、この判別手段によって自動補正モードが選択されていないことが判別された場合に、当該番組予約に関するスケジュール情報の設定指示を無効とする制御手段とを具備したことを特徴とする。
更に、コンピュータに対して、上述した請求項６記載の発明に示した主要機能を実現させるためのプログラムを提供する（請求項９記載の発明）。
【００１３】
なお、上述した請求項６記載の発明は、前記番組予約のスケジュール情報の設定指示を無効とするに先立って、自動補正モードに変更するか否かの確認報知を行い、それに応答して自動補正モードへの変更が指示されたことを条件に、当該番組予約のスケジュール情報の設定を行うようにしてもよい（請求項７記載の発明）。
【発明の効果】
【００１４】
第１の発明は、放送番組の予約に関するスケジュール情報が設定されている状態で、自動補正モードの解除が指示された際に、番組予約のスケジュール情報が設定されていることを警告することができ、計時日時の不正確さを起因として番組予約実行時に悪影響を及ぼす可能性があることを事前に知らせることが可能となる。
【００１５】
第２の発明は、放送番組の予約に関する情報をスケジュール情報として設定する際に、自動補正モードが選択されていなければ、当該スケジュール情報の設定指示を無効とすることができ、計時日時の不正確さを起因として番組予約実行時に生じる悪影響を未然に防止することが可能となる。
【発明を実施するための最良の形態】
【００１６】
（実施例１）
以下、図１〜図１１を参照して本発明の第１実施例を説明する。
この実施例は、携帯端末装置としてテレビ受信機能付きの携帯電話装置に適用した場合を例示したもので、図１は、このテレビ受信機能付き携帯電話装置の基本的な構成要素を示したブロック図である。
この携帯電話装置には、通話機能、電子メール機能、インターネット接続機能（Ｗｅｂアクセス機能）などのほか、デジタルテレビ放送を受信するテレビ（ＴＶ）受信機能、受信したＴＶ放送を録画する録画機能（録画予約機能を含む）、録画内容を再生出力する再生機能、予め設定されたスケジュール情報を記憶管理するスケジュール管理機能などが備えられている。
【００１７】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図３〜図７に示す動作手順に応じて本実施例を実現するためのプログラムが格納されており、また、そのデータ領域には、後述するスケジュール表ＳＤなどが格納されている。外部記録メディア３は、着脱自在な可搬型メモリで、録画コンテンツなど、各種のデータ・プログラムを外部供給するもので、例えば、ＳＤカード、ＩＣカードなどによって構成されている。メモリ４は、ワーク領域を有する内部メモリであり、後述する時計モードフラグＭＦなどがセットされる。なお、メモリ４内の各種のデータは、必要に応じて記憶部２にセーブされる。
【００１８】
電話通信部５は、無線部を構成するアンテナに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信号に符号化したのちに送受信部の送信側に与えられてアンテナから発信出力させる。一方、インターネット接続機能などによって電話通信部５を介して受信取得した映像コンテンツは、表示制御部９を介してＬＣＤ（液晶表示装置）などのメイン表示部１０に与えられて表示出力される。サブ表示部１１は現在日時、簡易なメッセージ、アイコンなどを表示する。
【００１９】
メイン表示部１０は、ＴＶ放送を高画質に表示可能なＬＣＤ（液晶表示装置）などであり、キー操作部１２は、ダイヤル入力、文字入力、コマンド入力などを行うもので、ＴＶオン／オフキー、録画開始／停止キーなどが設けられており、ＣＰＵ１は、キー操作部１２からのキー入力信号に応じた処理を実行する。ＴＶ放送受信部１３は、携帯電話などの地上波デジタルＴＶ放送を受信するもので、ＴＶ映像及び音声情報以外にも電子番組表(ＥＰＧ)なども含めて受信可能となっており、ＴＶアンテナに接続されていて放送信号を抽出する受信部（アナログ回路部）と、受信した放送信号をＯＦＤＭ（直交周波数分割多重）復調したり、多重化されている放送信号から映像、音声、データに分離して復号化したり、圧縮データの解凍などを行うデジタル回路部を有するもので、ＴＶ映像データ及び文字データなどは、メイン表示部１０から表示出力され、また、ＴＶ音声データは、サウンドスピーカ１４から出力される。
【００２０】
ＲＴＣ（リアルタイムクロックモジュール）１５は、内蔵されている時計部（内蔵時計）を構成するもので、ＣＰＵ１は、ＴＶ放送受信部１３から取得した放送データに含まれている正確な日時データに基づいてＲＴＣ１５の計時日時を自動修正するようにしている。すなわち、地上波デジタルＴＶの放送信号内には高精度日時（日本標準日時）が含まれており、ＣＰＵ１は、このＴＶ放送信号から高精度日時を取得してＲＴＣ１５の計時日時（年月日時分秒）を自動修正するようにしている。この場合、上述の時計モードフラグＭＦを参照し、“自動補正モード”にセットされていることを条件に、ＣＰＵ１は、定期的（例えば、毎正時）にＴＶ放送受信部１３を起動（オン）させることによってＴＶ放送信号から高精度日時を取得し、この高精度日時に基づいてＲＴＣ１５の計時日時を自動修正する。
【００２１】
このような自動修正を有効とするか否かは、ユーザ操作によって何時でも自由に選択可能であり、ＣＰＵ１は、キー操作部１２から自動修正の有効が指示された際に、時計モードフラグＭＦを“自動補正モード”にセットするようにしている。時計モードフラグＭＦは、現在セットされている時計モードの種類を示すもので、そのオン／オフによって“自動補正モード”と“手動補正モード”との切り替えを指定するフラグであり、それが“１”のときには、“自動補正モード”を示し、“０”のときには“手動補正モード”を示している。“手動補正モード”は、ＲＴＣ１５の計時日時を任意に手動修正するための修正データが入力された際に、この入力データに基づいてその計時日時（年月日時分秒）を手動修正する動作モードであり、例えば、ＲＴＣ１５の計時日時を入力日時に書き換えることでその手動修正を行う。なお、日時データを入力する場合に限らず、例えば、５分、１０分などのように修正時間を入力するようにしてもよい。
【００２２】
図２は、スケジュール表ＳＤを説明するための図である。
スケジュール表ＳＤは、スケジュール管理機能を構成するもので、キー操作部１２から任意に入力されたスケジュール情報あるいは記録メディア３を介して入力されたスケジュール情報を記憶管理する。すなわち、スケジュール表ＳＤは、スケジュール毎にその「開始日時」、「終了日時」、「種別」、「予定内容」、‥‥、の各項目を記憶する構成となっている。そして、このスケジュール表ＳＤは、会議、出張などのスケジュールのほか、ＴＶ放送の番組予約に関する情報をスケジュール情報として設定可能となっており、スケジュール管理機能を利用して、ＴＶ番組の予約情報も管理可能となっている。
【００２３】
「種別」は、スケジュール情報の種類として、ＴＶ放送の番組予約に関するスケジュール情報かそれ以外のスケジュール情報かを示すもので、「ＴＶ」は、ＴＶ放送の番組予約に関するスケジュール情報（ＴＶ種のスケジュール情報）を示し、「メモ」は、会議、出張、打合わせ、などＴＶスケジュール以外のスケジュール情報（メモ種のスケジュール情報）を示している。このメモ種のスケジュール情報において、「開始日時」、「終了日時」は、行動予定の開始・終了日時を示し、「予定内容」は、コメントメッセージを示しているが、ＴＶ種のスケジュール情報において、「開始日時」、「終了日時」は、予約番組の放送開始日時・終了日時を示し、「予約内容」は、チャンネル情報を示している。
【００２４】
ＣＰＵ１は、“自動補正モード”の解除がユーザ指示された場合に、スケジュール表ＳＤを参照し、ＴＶ種のスケジュール情報が設定されているか否かを判別し、該当スケジュールが設定されていれば、その旨を警告するようにしている。また、ＣＰＵ１は、スケジュール表ＳＤに対してＴＶ種のスケジュール情報を設定する際に、“自動補正モード”が選択されているかを判別し、“自動補正モード”が選択されていなければ、このスケジュールの設定を無効とするようにしている。
【００２５】
また、ＣＰＵ１は、ＲＴＣ１５の計時日時に基づいて定期的（例えば、毎正分）にスケジュール表ＳＤを検索し、その「開始日時」に到達したスケジュールが有れば、メモ種のスケジュールかＴＶ種のスケジュールかを判別し、メモ種のスケジュールであれば、アラーム報知を行い、ＴＶ種のスケジュールであれば、予約番組の録画を開始し、また、ＴＶ種の「終了日時」に達したことを検出した際には、予約番組の録画を終了するようにしている。なお、録画内容は、記憶部２あるいは外部記録メディア３に録画ファイルとして格納される。
【００２６】
次に、この第１実施例における携帯電話装置の動作概念を図３〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２７】
図３〜図６は、電源投入に伴って実行開始される携帯電話装置の全体動作を示したフローチャートである。
先ず、ＣＰＵ１は、電話通信部５を作動させて現在位置を登録する待受処理を行うと共に、所定の待受画像を読み出して表示出力させながら電話／メールの待受状態となる（ステップＳ１）。この状態において、電話／メール着信有りを検出すると（ステップＳ２でＹＥＳ）、着信メロディなどを発生出力させる着信報知を行うと共に、電話あるいはメールの着信処理を実行する(ステップＳ３)。また、この待受状態において、何らかの操作が行われると（ステップＳ４でＹＥＳ）、それはＴＶ起動を指示するＴＶオン操作か（ステップＳ５）、モード操作かを調べる（ステップＳ１４）。
【００２８】
いま、モード操作が行われたときには（ステップＳ１４でＹＥＳ）、時計モードの切り替えを指示するモード操作であるかを判別し（ステップＳ１５）、それ以外のモード操作であれば、当該操作に対応する処理として、動作モードの切り替え処理などを実行するが（ステップＳ１６）、時計モードの切り替えが指示されたときには（ステップＳ１５でＹＥＳ）、時計モードの各選択候補を一覧表示させる（ステップＳ１７）。ここで、選択された時計モードは、“自動補正モード”か“手動補正モード”であるかを判別し（ステップＳ１８）、“自動補正モード”が選択されたときには、時計モードフラグＭＦに“１”をセットして“自動補正モード”に設定する（ステップＳ１９）。
【００２９】
一方、ＴＶオン操作が行われたときには（ステップＳ５でＹＥＳ）、ＴＶ放送受信部１３をオンさせて受信動作を開始させると共に（ステップＳ６）、この放送受信内容を映像表示及び音声出力させる（ステップＳ７）。そして、このＴＶ放送の受信出力中にユーザから何らかの指示が受け取ると（ステップＳ８でＹＥＳ）、それはチャンネル切り替え操作か（ステップＳ９）、番組録画の予約操作か（ステップＳ１１）、ＴＶオフ操作かを調べ（ステップＳ１２）、それ以外の操作であれば（ステップＳ１２でＮＯ）、操作対応処理として、音量調整処理などを実行する（ステップＳ１３）。
【００３０】
また、ＴＶオフ操作であれば（ステップＳ１２でＹＥＳ）、ＴＶ放送受信部１３の動作を停止させたのち、待受状態に戻る（ステップＳ１）。いま、チャンネル切り替え操作が行われた場合には（ステップＳ９）、それに応じてチャンネル変更を行い（ステップＳ１０）、また、番組録画の予約操作であれば（ステップＳ１１でＹＥＳ）、図４のフロー（録画予約処理）に移る。
【００３１】
先ず、ＣＰＵ１は、ＴＶ放送受信部１３を介して電子番組表を受信取得したのち（ステップＳ２０）、受信した電子番組表をメイン表示部１０から出力させる（ステップＳ２１）。この番組表の中から予約対象番組がユーザ操作によって任意に選択されて（ステップＳ２２）、それを確定する予約操作が行われたか（ステップＳ２３）、録画予約の終了を指示する終了操作が行われたかをチェックし（ステップＳ２４）、終了操作が行われたときには、図４のフロー（録画予約処理）の終了となるが、予約操作が行われたときには、時計モードフラグＭＦを参照し、現在設定されている時計モードは、“自動補正モード”か“手動補正モード”であるかを判別する（ステップＳ２５）。
【００３２】
いま、“自動補正モード”が設定されていれば、つまり、毎正時にＲＴＣ１５の計時日時が正確な日時に自動修正されていれば、選択番組の開始日時、終了日時、チャンネル情報を電子番組表からそれぞれ取得し（ステップＳ２６）、これらを含むスケジュール情報を新規生成してスケジュール表ＳＤに設定する（ステップＳ２７）。この場合、スケジュール情報の「開始日時」、「終了日時」、「予約内容」には、選択番組の“開始日時”、“終了日時”、“チャンネル情報”がセットされる。そして、当該スケジュール情報の「種別」に“ＴＶ”をセットする（ステップＳ２８）。
【００３３】
また、“手動補正モード”に設定されていれば、つまり、ＲＴＣ１５が不正確な日時の可能性があれば（ステップＳ２５でＮＯ）、警告メッセージを表示出力させる（ステップＳ２９）。図８は、ＴＶ種のスケジュール設定時に“自動補正モード”が選択されていない場合（“手動補正モード”が選択されている場合）に、“自動補正モード”に変更するか否かを確認報知するための警告メッセージ画面を示した図である。この警告メッセージ画面には、“自動補正モード”が解除されているために録画予約の指示操作を無効とする旨のメッセージが表示出力されるほか、その無効に先立って“自動補正モード”に変更するか否かを問い合わせるためのＹＥＳ／ＮＯボタンが配置されている。
【００３４】
このメッセージ画面上において、「ＮＯボタン」が操作されたときには（ステップＳ３０でＮＯ）、今回の録画予約の指示操作を無効とするために、図３のステップＳ７に戻るが、「ＹＥＳボタン」が操作されて“自動補正モード”への変更が指示されたときには（ステップＳ３０でＹＥＳ）、“時計モードフラグＭＦに“１”をセットして“自動補正モード”に設定する（ステップＳ３１）。そして、選択番組の開始日時、終了日時、チャンネル情報を電子番組表から取得し（ステップＳ２６）、これらを含むスケジュール情報を生成してスケジュール表ＳＤに設定すると共に（ステップＳ２７）、当該スケジュール情報の「種別」に“ＴＶ”をセットする（ステップＳ２８）。
【００３５】
他方、ＴＶオフ状態において、操作無しの検出タイミングでは（図３のステップＳ４でＮＯ）、図５のフローに移り、ＲＴＣ（内蔵時計）１５の計時日時は、“正時”（‥‥時００分００秒）に達したかを判別する（ステップＳ３２）。ここで、“正時”のタイミングでは、時計モードフラグＭＦを参照し、現在の時計モードは“自動補正モード”か“手動補正モード”であるかを判別し（ステップＳ３３）、“手動補正モード”であれば、最初の待受状態に戻るが（図３のステップＳ１）、“自動補正モード”であれば、内蔵時計の自動修正を行う。
【００３６】
すなわち、ＣＰＵ１は、ＴＶ放送受信部１３をオンさせて（ステップＳ３４）、ＴＶ放送信号から高精度日時を取得し（ステップＳ３５）、この高精度日時に基づいてＲＴＣ１５の計時日時を修正する（ステップＳ３６）。この場合、ＲＴＣ１５の計時日時を高精度日時に置き換えることによって自動修正が行われる。そして、ＴＶ放送受信部１３をオフさせたのち（ステップＳ３７）、待受状態に戻る（図３のステップＳ１）。以下、“自動補正モード”では、“正時”ごとに上述の動作が実行される結果、１時間毎に計時日時が自動修正される。
【００３７】
また、“正時”のタイミングでなければ（ステップＳ３２でＮＯ）、図６のフローに移り、内蔵時計（ＲＴＣ１５）の計時日時は、“正分”（‥‥分００秒）であるかを判別し（ステップＳ３８）、“正分”でなければ、待受状態に戻るが（図３のステップＳ１）、“正分”であれば、この計時日時に基づいてスケジュール表ＳＤを検索し（ステップＳ３９）、「開始日時」が計時日時に一致するスケジュールが存在するかを調べる（ステップＳ４０）。その結果、該当するスケジュールがあれば（ステップＳ４０でＹＥＳ）、その「種別」はメモ種であるかを判別し（ステップＳ４１）、メモ種のスケジュールであれば、通常と同様に、アラーム音などによる報知のほか（ステップＳ４２）、そのスケジュール内容を表示出力させる（ステップＳ４３）。
【００３８】
「開始日時」に達したスケジュールがＴＶ種であれば（ステップＳ４１でＮＯ）、アラーム音などによる報知のほか（ステップＳ４４）、ＴＶ放送受信部１３をオンさせたのち（ステップＳ４５）、その「予約内容」の項目からチャンネル情報を読み出し、この予約チャンネルの放送受信内容を録画する動作を開始させる（ステップＳ４６）。この場合、録画内容は、記憶部２あるいは外部記録メディア３に録画ファイルとして格納される。その後、最初の待受状態に戻る（図３のステップＳ１）。
【００３９】
一方、「開始日時」に該当するスケジュールがなければ（ステップＳ４０でＮＯ）、現在録画中であるかを調べ（ステップＳ４７）、録画中でなければ、待受状態に戻るが（図３のステップＳ１）、録画中であれば、そのスケジュールの「終了日時」に計時日時が一致するかを調べる（ステップＳ４８）。いま、ＴＶ種の「終了日時」に達した際には、録画動作を終了させて（ステップＳ４９）、ＴＶ放送受信部１３をオフさせる（ステップＳ５０）。その後、待受状態に戻る（図３のステップＳ１）。
【００４０】
他方、ＴＶオフ状態において、“自動補正モード”の解除がユーザ指示された場合、つまり、“手動補正モード”への切り替えがユーザ指示された場合には（図３のステップＳ１８でＮＯ）、図７のフローに移り、ＲＴＣ１５の計時日時に基づいてスケジュール表ＳＤを検索し、「開始日時」が計時日時以降のＴＶ種のスケジュールの設定有無をチェックし（ステップＳ５１）、該当するＴＶ種のスケジュールが設定されていなければ（ステップＳ５２でＮＯ）、“時計モードフラグＭＦに“０”をセットすることによって“自動補正モード”を解除して“手動補正モード”に設定する（ステップＳ６５）。そして、この“手動補正モード”下において、ＣＰＵ１は、ユーザ操作によって任意に入力された修正データを取り込み（ステップＳ６６）、この入力データに基づいてＲＴＣ１５の計時日時を手動修正する（ステップＳ６７）。
【００４１】
また、該当するＴＶ種のスケジュール情報が設定されていれば（ステップＳ５２でＹＥＳ）、警告メッセージを表示出力させる（ステップＳ５３）。図９は、“自動補正モード”の解除がユーザ指示された際に、ＴＶ種のスケジュールが設定されていることを警告するメッセージ画面を示している。この警告メッセージ画面には、ＴＶ種のスケジュールが設定されている状態において“自動補正モード”の解除によって、計時日時の不正確さを起因として録画予約実行時に悪影響を及ぼす可能性がある旨の警告メッセージが表示出力されるほか、“自動補正モード”を解除するか否かを問い合わせるためのＯＫ／ＮＯボタンが配置されている。
【００４２】
このメッセージ画面上において、「ＮＯボタン」が操作されたときには（ステップＳ５４でＮＯ）、今回のモード変更操作を無効とするために、モード変更を中止して（ステップＳ５８）、図３のステップＳ１に戻るが、「ＯＫボタン」が操作されて“手動補正モード”への変更が指示されたときには（ステップＳ５４でＹＥＳ）、“時計モードフラグＭＦに“０”をセットすることによって“自動補正モード”を解除して“手動補正モード”に設定する（ステップＳ５５）。この“手動補正モード”下において、ＣＰＵ１は、ユーザ操作によって任意に入力された修正データを取り込み（ステップＳ５６）、この入力データに基づいてＲＴＣ１５の計時日時を手動修正する（ステップＳ５７）。
【００４３】
そして、その修正前の計時日時と修正後の計時日時との差分（時間差）を算出し、この時間差は所定時間以上（例えば、１分以上）であるかを判別する（ステップＳ５９）。すなわち、修正前の計時日時は、“自動補正モード”下において定期的に高精度日時に自動修正されているので、正確な日時であるのに対し、“自動補正モード”を解除した手動修正後の日時は、正確な日時よりも５分、１０分のように故意に進ませた日時あるいは遅らせることが多く、録画予約実行時に悪影響を及ぼす可能性は、修正前後における差分が少なければ（１分未満であれば）、低いと判断し、１分以上であれば高いと判断する。ここで、修正前後の差分が１分未満であれば（ステップＳ５９でＮＯ）、上述したステップＳ６５に移り、“自動補正モード”を解除して“手動補正モード”に設定する。
【００４４】
また、修正前後の差分が１分以上であれば（ステップＳ５９でＹＥＳ）、その修正前後の日時を比較した結果、修正後の日時が修正前の日時よりも早い場合には（ステップＳ６０でＹＥＳ）、図１０に示す警告メッセージを表示出力させ（ステップＳ６１）、修正後の日時が修正前の日時よりも遅い場合には（ステップＳ６０でＮＯ）、図１１に示す警告メッセージを表示出力させる（ステップＳ６３）。図１０は、修正後の日時が修正前の日時よりも早い場合に表示される警告メッセージ画面を示し、図１１は、修正後の日時が修正前の日時よりも遅い場合に表示される警告メッセージ画面を示している。
【００４５】
この各メッセージ画面には、計時日時の不正確さを起因として録画予約実行時に悪影響を及ぼす可能性があることが警告表示されるほか、それでも“自動補正モード”を解除するかを問い合わせるためのＯＫ／ＮＯボタンが配置されている。ここで、「ＯＫボタン」が操作されたときには（ステップＳ６２あるいはＳ６４でＹＥＳ）、“自動補正モード”の解除を有効とするために図３のステップＳ１に戻るが、「ＮＯボタン」が操作されたときには（ステップＳ６２あるいはＳ６４でＮＯ）、上述のステップＳ５３に戻る。この場合、図９に示した警告メッセージ画面上の「ＮＯボタン」が操作されたときには（ステップＳ５４でＮＯ）、モード変更を中止して“手動補正モード”から“自動補正モード”に切り替える（ステップＳ５８）。
【００４６】
以上のように、この第１実施例においてＣＰＵ１は、ＴＶ放送受信部１３を定期的にオンさせることによってＴＶ放送信号から高精度日時を取得し、この高精度日時に基づいてＲＴＣ１５の計時日時を自動修正する“自動補正モード”の解除が指示された場合に、スケジュール表ＳＤを参照し、ＴＶ種のスケジュール情報が設定されていれば、その旨を警告することができ、計時日時の不正確さを起因として録画予約実行時に悪影響を及ぼす可能性があることを事前に知らせることが可能となる。すなわち、計時日時が不正確であると、ＴＶ録画の開始に影響し、録画が早過ぎるときには、電力、メモリを無駄に使ってしまい、逆に、録画が遅過ぎるときには、録画漏れが生じてしまうが、このような悪影響が起きる可能性があることをユーザに知らせることが可能となる。
【００４７】
“自動補正モード”が解除されて“手動補正モード”が選択されている状態において、ＲＴＣ１５の計時日時が任意に修正された際に、つまり、自動補正モード”下で自動修正された正確な日時に対して手動修正後に故意にその日時を遅らせた際あるいは進ませた際に、ＣＰＵ１は、ＴＶ種のスケジュール情報が設定されていれば、その旨を示す警告メッセージを表示することにより、その予約実行時に悪影響を及ぼす可能性があることを知らせることが可能となる。
【００４８】
ＣＰＵ1は、修正前の日時と修正後の日時との時間差を算出し、この時間差が所定時間以上であることを条件に、警告メッセージを表示することにより、修正前後の差分が少なければ（例えば、１分未満であれば）、録画予約実行時に悪影響を及ぼす可能性は低いと判断し、その差分が多ければ（例えば、１分以上であれば）、その可能性が高いと判断することができ、録画予約実行時に及ぼす悪影響がどの程度であるかによって警告要否を制御することができる。
【００４９】
この場合、ＣＰＵ1は、修正前後の差分に基づいて修正後の日時が修正前の日時よりも早いか遅いかを判別し、修正後の日時が早い場合には、図１０に示す警告メッセージを表示出力させ、修正後の日時が遅い場合には、図１１に示す警告メッセージを表示出力させることにより、電力・メモリ消費、録画漏れなどの観点から適切な対応が可能となる。
【００５０】
また、録画予約操作時に“自動補正モード”が設定されていれば、ＴＶ種のスケジュール情報をスケジュール表ＳＤに設定するが、“自動補正モード”が解除されていれば、当該予約操作を無効とすることにより、計時日時の不正確さを起因として録画予約実行時に生じる悪影響を未然に防止することができる。
【００５１】
この場合、予約操作を無効に先立って、“自動補正モード”に変更するか否かの確認報知を行い、それに応答して自動補正モードへの変更が指示されたことを条件に、ＴＶ種のスケジュール設定を行うことにより、その録画予約を確実に実行することができる。
【００５２】
“自動補正モード”の解除が指示された際に、ＣＰＵ１は、ＴＶ種のスケジュール情報が設定されていれば、自動補正モード”の解除で録画予約実行時に悪影響を及ぼす可能性がある旨の警告メッセージを表示させ、「ＮＯボタン」の操作で今回のモード変更を中止することにより、録画予約実行時の悪影響を未然に防止することが可能となる。
【００５３】
なお、上述した第１実施例においては、“自動補正モード”の解除が指示された際に、ＴＶ種のスケジュール情報が設定されていることを条件に図９の警告メッセージ画面を表示出力するようにしたが、“自動補正モード”を解除して“手動補正モード”に切り替えた状態において、ＲＴＣ１５の計時日時を手動修正したのち、図９の警告メッセージ画面を表示出力するようにしてもよい。また、修正前後の差分が１分以上であることを条件に、図９の警告メッセージ画面を表示出力するようにしてもよい。このように手動修正後に図９の警告メッセージ画面を表示出力する場合には、メッセージ画面内に修正前後の差分値を案内表示するようにしてもよい。同様に、図１０、図１１に示す警告メッセージ画面内にも修正前後の差分値を案内表示するようにしてもよい。更に、遅れ具合あるいは進み具合をレベル表示するようにしてもよい。
【００５４】
また、番組の初めにコマーシャルを放送する民間放送の場合には、コマーシャルの放送時間（例えば、３０秒）を考慮し、正確な日時に対して３０秒以上の遅れがある場合に警告表示を行うようにしてもよい。また、遅れている場合と進んでいる場合とでは、悪影響を及ぼす対象が異なるため、遅れている場合には録画漏れを防ぐために警告表示を省略せず、進んでいる場合には所定時間未満の進みであることを条件に、つまり、電力、メモリ消費が多くならない程度であることを条件に、警告表示を省略するようにしてもよい。また、上述した第１実施例においては、予約の「終了日時」に達した際に、録画動作を終了させるようにしたが、録画予約の「終了日時」を常時監視しなくても、予約番組の「開始日時」からその放送時間を考慮してその終了日時を特定するようにしてもよい。
（実施例２）
【００５５】
以下、この発明の第２実施例について図１２及び図１３を参照して説明する。
なお、上述した第１実施例においては、ＴＶ種のスケジュール情報が設定されている状態で、“自動補正モード”の解除が指示された際に、ＴＶ種のスケジュール情報が設定されていることを警告するようにしたが、この第２実施例においては、“自動補正モード”の解除が指示された際に、ＴＶ種のスケジュール情報が設定されていれば、“自動補正モード”の解除指示を無効とするようにしたものである。
ここで、両実施例において基本的あるいは名称的に同一のものは、同一符号を付して示し、その説明を省略すると共に、以下、第２実施例の特徴部分を中心に説明するものとする。
【００５６】
図１２は、上述した第１実施例の図７に代わるフローチャートである。なお、その他の図３〜図６のフローチャートは、この第２実施例においても同様であるため、その説明は省略するものとする。
先ず、ＣＰＵ１は、ＴＶオフ状態において、“自動補正モード”の解除がユーザ指示された場合、つまり、“手動補正モード”への切り替えがユーザ指示された場合には（図３のステップＳ１８でＮＯ）、図１２のフローに移り、ＲＴＣ１５の計時日時に基づいてスケジュール表ＳＤを検索し、「開始日時」が計時日時以降のＴＶ種のスケジュールの設定有無をチェックする（ステップＳ７１）。
【００５７】
いま、該当するＴＶ種のスケジュールの設定がなければ（ステップＳ７２でＮＯ）、“時計モードフラグＭＦに“０”をセットすることによって“自動補正モード”を解除して“手動補正モード”に設定する（ステップＳ７５）。そして、この“手動補正モード”下において、ＣＰＵ１は、ユーザ操作によって任意に入力された修正データを取り込み（ステップＳ７５）、この入力データに基づいてＲＴＣ１５の計時日時を手動修正する（ステップＳ７６）。その後、最初の待受状態に戻る（図３のステップＳ１）。
【００５８】
また、該当するＴＶ種のスケジュール情報が設定されていれば（ステップＳ７２でＹＥＳ）、今回の指示を無効としたことを示す警告メッセージを所定時間（例えば、２秒間）表示出力させる（ステップＳ７３）。すなわち、図１３は、ユーザ操作によって“自動補正モード”の解除が指示された際に、ＴＶ種スケジュールが設定されていることを警告するメッセージ画面を示し、このメッセージ画面には、ＴＶ種スケジュールが設定されている状態において“自動補正モード”を解除すると、番組録画の予約実行時に悪影響を及ぼす可能性があるために、モード変更を中止する旨のメッセージが表示出力されるほか、“自動補正モード”を解除するためには、ＴＶ種のスケジュール情報の設定を解除する必要がある旨のメッセージが表示出力される。そして、２秒経過後は、今回の“自動補正モード”の解除指示を無効とするために、最初の待受状態に戻る（図３のステップＳ１）。
【００５９】
以上のように、この第２実施例においてＣＰＵ１は、“自動補正モード”の解除が指示された際に、ＴＶ種のスケジュール情報が設定されていれば、“自動補正モード”の解除指示を無効とすることができ、計時日時の不正確さを起因として録画予約実行時に生じる悪影響を未然に防止することが可能となる。言い換えれば、計時日時が正確であることを条件に、その予約設定を許可し、計時日時が不正確の場合あるいはその可能性がある場合には、その予約設定を禁止することができる。
【００６０】
なお、上述した各実施例においては、ＴＶ放送受信部１３のオン時に録画予約を受け付けるようにしたが、ＴＶオフ時に録画の予約を受け付けるようにしてもよい。
また、録画予約に限らず、任意に設定した日時にテレビ放送を受信して出力すると視聴予約の場合をスケジュール情報として設定した場合でも同様に適用可能である。
また、上述した各実施例においては、ＴＶ放送信号に含まれている表示日時（高精度日時）を取得するようにしたが、ＧＰＳ(Global Positioning System)受信部を備えた携帯電話装置においては、ＧＰＳから高精度日時を取得するようにしてもよい。
【００６１】
上述した各実施例においては、ＴＶ録画の場合を示したが、ラジオの予約録音の場合であっても同様に適用可能である。
その他、携帯電話装置に限らず、例えば、ＰＤＡ、電子カメラ、電子腕時計、音楽再生機などの携帯端末装置であっても同様に適用可能である。
【図面の簡単な説明】
【００６２】
【図１】携帯端末装置として適用したテレビ受信機能付き携帯電話装置の基本的な構成要素を示したブロック図。
【図２】スケジュール表ＳＤを説明するための図。
【図３】電源投入に伴って実行開始される携帯電話装置の全体動作を示したフローチャート。
【図４】図３に続く、フローチャート。
【図５】図３に続く、フローチャート。
【図６】図５に続く、フローチャート。
【図７】図３に続く、フローチャート。
【図８】警告メッセージ画面を例示した図。
【図９】警告メッセージ画面を例示した図。
【図１０】警告メッセージ画面を例示した図。
【図１１】警告メッセージ画面を例示した図。
【図１２】第２実施例における特徴的な動作を示し、上述した第１実施例の図７に代わるフローチャート。
【図１３】第２実施例における警告メッセージ画面を例示した図。
【符号の説明】
【００６３】
１  ＣＰＵ
２  記憶部
５  電話通信部
１０  メイン表示部
１２  キー操作部
１３  ＴＶ放送受信部
１４  サウンドスピーカ
１５  ＲＴＣ
ＳＤ  スケジュール表
ＭＦ  時計モードフラグ
【図１】
2008118244.tif 000003
【図２】
2008118244.tif 000004
【図３】
2008118244.tif 000005
【図４】
2008118244.tif 000006
【図５】
2008118244.tif 000007
【図６】
2008118244.tif 000008
【図７】
2008118244.tif 000009
【図８】
2008118244.tif 000010
【図９】
2008118244.tif 000011
【図１０】
2008118244.tif 000012
【図１１】
2008118244.tif 000013
【図１２】
2008118244.tif 000014
【図１３】
2008118244.tif 000015